(57)【要約】【課題】原子炉格納容器内の有機よう素を効率的に除去する機能を有する有機よう素除去剤を提供する。【解決手段】原子炉格納容器内の有機よう素を除去する有機よう素除去剤であって、有機よう素を溶解、分解させ、よう素を保持する機能を有する有機剤（例；イオン液体、界面活性剤、４級塩、相関移動触媒等）を用いる。有機よう素除去剤はカチオンとアニオンから構成される物質である。有機よう素除去剤として特に有機剤のカチオン構造がリン元素または硫黄元素または窒素元素に単結合で炭素または酸素が結合しており、かつ炭素鎖数が２以上であり、アニオン構造が高い求核性の物質で構成されたことを特徴とする有機よう素除去剤である。このような構成の有機剤を使用することで有機よう素を９９％以上の効率で除去する。【選択図】図２
2020134462.tif 000002
【特許請求の範囲】
【請求項１】
原子炉格納容器内の有機よう素を除去する有機よう素除去剤であって、
前記有機よう素除去剤がカチオンとアニオンから構成される物質で、
前記カチオンの構造がリン元素、硫黄元素または窒素元素に単結合で炭素または酸素が結合しており、
前記アニオンの構造が炭素元素、硫黄元素、窒素元素、酸素元素またはハロゲン元素にアニオン電荷が存在する物質であること
を特徴とした有機よう素除去剤。
【請求項２】
前記アニオンと前記カチオンが化学結合していない解離した構造であり、
前記アニオンおよび前記カチオンが２分子以上で構成された物質であること
を特徴とした請求項１記載の有機よう素除去剤。
【請求項３】
前記カチオンと前記アニオンが化学結合しており解離していない１分子で構成された物質であること
を特徴とした請求項１に記載の有機よう素除去剤。
【請求項４】
前記カチオンが第４級アンモニウム塩または第４級のスルホニム塩または第３級のスルホニウム塩で構成された物質であること
を特徴とした請求項１に記載の有機よう素除去剤。
【請求項５】
前記カチオンの炭素鎖が単結合または二重結合または三重結合で構成された物質であること
を特徴とした請求項４に記載の有機よう素除去剤。
【請求項６】
前記カチオンの炭素鎖の一部が酸素結合で構成された物質であること
を特徴とした請求項４に記載の有機よう素除去剤。
【請求項７】
前記カチオンの炭素鎖の炭素数が２つ以上で構成された物質であること
を特徴とした請求項４に記載の有機よう素除去剤。
【請求項８】
前記カチオンの炭素鎖に結合する水素元素の一部または全てがフッ素元素に置換された物質であること
を特徴とした請求項４に記載の有機よう素除去剤。
【請求項９】
前記アニオンで炭素元素に電荷が存在するＨ3Ｃ-、Ｈ2ＲＣ-、ＨＲ2Ｃ-、Ｒ3Ｃ-、ＮＣ-、ＲＣＣ-で構成された物質であること
を特徴とした請求項１に記載の有機よう素除去剤。
【請求項１０】
前記アニオンで硫黄元素に電荷が存在するＲＳ-で構成された物質であること
を特徴とした請求項１に記載有機よう素除去剤。
【請求項１１】
前記アニオンで窒素元素に電荷が存在するＮ3-、Ｈ2Ｎ-、ＨＲＮ-、Ｒ2Ｎ-で構成された物質であることを特徴とした請求項１に記載の有機よう素除去剤。
【請求項１２】
前記アニオンで酸素元素に電荷が存在するＨＯ-、ＮＯ2-、ＮＯ3-、ＲＯ-、ＲＣＯ2-、ＲＰＯ3-、ＲＳＯ3-、ＲＰＯ4-、Ｒ2ＰＯ2-、Ｒ3ＣＯ-、ＦＯ3-、ＣｌＯ3-、ＢｒＯ3-、ＩＯ3-、ＦＯ4-、ＣｌＯ4-、ＢｒＯ4-、ＩＯ4-で構成された物質であること
を特徴とした請求項１に記載の有機よう素除去剤。
【請求項１３】
前記アニオンでハロゲン元素に電荷が存在するＦ-、Ｃｌ-、Ｂｒ-、Ｉ-、Ｆ3-、Ｃｌ3-、Ｂｒ3-、Ｉ3-で構成された物質であること
を特徴とした請求項１に記載の有機よう素除去剤。
【請求項１４】
前記アニオンの炭素鎖Ｒの一部が酸素結合で構成された物質であること
を特徴とした請求項９〜請求項１２いずれか１項に記載の有機よう素除去剤。
【請求項１５】
前記アニオンの炭素鎖に結合する水素元素の一部または全てがフッ素元素に置換された物質であること
を特徴とした請求項９〜請求項１２いずれか１項に記載の有機よう素除去剤。
【発明の詳細な説明】
【技術分野】
【０００１】
本発明は、原子炉から放出される放射性有機よう素をはじめ、蒸気等の気体中に含まれる有機よう素を除去する有機よう素除去剤に関する。
【背景技術】
【０００２】
原子炉施設には、原子炉から放出された放射性物質が環境中に漏洩するのを防止するために、フィルタベント装置が設置されている。原子炉の事故で炉心損傷に伴い、格納容器内の圧力が異常上昇したりすると、格納容器が破損して大規模漏洩に至るため、格納容器内の蒸気を未然にベントして格納容器の過圧破損を防止する。高温・高圧の蒸気は、原子炉から格納容器内に放出されると、フィルタベント装置に通され、大気中に放出される前に主要な放射性物質が除去される。
【０００３】
原子炉の事故時に発生する放射性物質としては、希ガス、エアロゾル、無機よう素、有機よう素等がある。フィルタベント装置にて、希ガスを除くこれらの放射性物質が容器内で捕捉され、環境への放出が抑制される。一般に、フィルタベント装置は、特許文献１に記載されるように、容器内に、湿式フィルタとして働くスクラビング水を保持し、さらに乾式フィルタである金属フィルタを内蔵している。
【０００４】
スクラビング水は、チオ硫酸ナトリウムと水酸化ナトリウム等を溶解した水溶液であり、ベントされた蒸気は、スクラビング水中に放出される。チオ硫酸ナトリウムとの反応により、イオン化した無機よう素（元素状よう素）や、エアロゾルはスクラビング水に溶解、捕集することで除去される。また、スクラビング水を経て気相に放出された一部のエアロゾルは、金属フィルタに付着・衝突して除去される。一方、上記の機構では除去されにくい有機よう素は、特許文献２に記載されるように、銀ゼオライトや活性炭等の乾式フィルタで除去される。
【先行技術文献】
【特許文献】
【０００５】
【特許文献１】特開２０１５−５２２１６１号公報
【特許文献２】特開平７−２０９４８８号公報
【発明の概要】
【発明が解決しようとする課題】
【０００６】
原子炉から放出される有機よう素は、よう化メチルをはじめとして水に難溶であり、ベント時に圧力抑制室のプール水やスクラビング水に導入されても、十分には除去されない。また、よう化メチル等の有機よう素は、原子炉からの排気過程で、元素状よう素の反応によって新生することもある。これらの理由で、有機よう素を効率的に除去できる有機よう素除去剤が求められている。
【０００７】
有機よう素除去剤としては、銀ゼオライトや活性炭が知られている（特許文献２参照）。しかし、これらの有機よう素除去剤は、有機よう素除去剤に水分が付着した場合に除去効率が低下するため、湿分の影響が懸念される場合は湿分を除去する機構を必要とする。そのため、フィルタベント装置の構造を複雑化させる。また、これらの有機よう素除去剤は大量に必要なため、特許文献２のように特別な装置設計や複雑な装置構造を要したりする。
【０００８】
そこで、本発明は、複雑な構造を不要とし、また湿分の影響を受けず、原子炉格納容器内の有機よう素を効率的に除去する機能を有する有機よう素除去剤を提供することを目的とする。
【課題を解決するための手段】
【０００９】
前記課題を解決するために本発明に係る有機よう素除去剤は、原子炉格納容器内の有機よう素を除去する有機よう素除去剤であって、前記有機よう素除去剤がカチオンとアニオンから構成される物質で、前記カチオンの構造がリン元素、硫黄元素または窒素元素に単結合で炭素または酸素が結合しており、前記アニオンの構造が炭素元素、硫黄元素、窒素元素、酸素元素またはハロゲン元素にアニオン電荷が存在する物質であること、を特徴とした有機よう素除去剤とする。
【発明の効果】
【００１０】
本発明によると、原子炉格納容器内の有機よう素を効率的に除去する機能を有する有機よう素除去剤を提供することができる。
【図面の簡単な説明】
【００１１】
【図１】本発明に係るフィルタベント装置の概略図である。
【図２】本発明に係る有機よう素除去剤の除去効率および有機よう素除去剤の化学構造である。
【図３】本発明に関わる有機よう素除去剤の除染係数の経時変化である。
【発明を実施するための形態】
【００１２】
以下、本発明を実施するための形態（「本実施形態」という）を、図等を参照しながら説明する。説明において、同一の要素には同一の符号を付し、重複する説明は省略する。
【００１３】
<フィルタベント装置>
図１は本実施形態におけるフィルタベント装置３０の構成を示す模式図である。
【００１４】
図１に示すように、格納容器４は、原子炉圧力容器４Ａ、ドライウェル３１、ウェットウェル３２を備える。
【００１５】
フィルタベント装置３０は、原子炉圧力容器４Ａが破損するなどの過酷事故時において、ドライウェル３１ならびにウェットウェル３２が内在する格納容器４内の圧力を減少させるために格納容器４内の気体を大気放出する際に気体に含まれる放射性物質を極力除去するものである。
【００１６】
本実施形態におけるフィルタベント装置３０は、図１に示すように、フィルタベント容器１内部にスクラビング水２および放射性除去物用の金属フィルタ１０を有するフィルタベント容器１、格納容器４に連結したドライウェルベント配管７やウェットウェルベント配管８、一端がドライウェルベント配管７およびウェットウェルベント配管８に連結され、多端がフィルタベント容器１内のスクラビング水２内に導入された入口配管９、フィルタベント容器１内の金属フィルタ１０に連結する出口配管１１を備えている。
【００１７】
フィルタベント容器１は放射性物質であるエアロゾル、無機よう素、有機よう素の捕集に用いられる役割を持つ。
【００１８】
また、フィルタベント装置３０はフィルタベント容器１の外部に有機よう素除去剤３が収納された保管容器１８を備えている。保管容器１８が注入配管１９を経由し、フィルタベント容器１に接続されており、注入配管１９には弁２０が設置されている。保管容器１８は通常時は有機よう素除去剤３を保持してスクラビング水２と有機よう素除去剤３とを個別に保管する。
【００１９】
このように、フィルタベント装置３０内に、有機よう素除去剤３として、有機よう素を除去する機能を有する有機剤（後述）を設置するのみで、事故時に、格納容器４から放出される放射性物質のうち、特に有機よう素を効率的に除去することができる。
【００２０】
フィルタベント装置３０は、原子炉圧力容器４Ａが破損するなどの過酷事故時において、ドライウェル３１ならびにウェットウェル３２が内在する格納容器４内の圧力を減少させるために格納容器４内の気体を大気放出する際に気体に含まれる放射性物質を極力除去するものである。
【００２１】
有機よう素を含むガス（流体）を有機よう素除去剤３に通せばよく、有機よう素除去剤３または保管容器１８の設置位置はフィルタベント容器１内でもフィルタベント容器１外の上流または下流に別途設け設置してもよい。
【００２２】
事故時には比較的温度の高いガスがフィルタベント容器１に流入するため、有機よう素はガス状であると推定される。ガス状の有機よう素を除去するためには、気泡内での有機よう素の拡散泳動、熱泳動、ブラウン拡散、対流を利用し、有機よう素除去剤３と接触させ溶解させるため、有機よう素除去剤３は、気泡の液体中での滞留時間を稼ぐように設けることが望ましい。
【００２３】
次に、本実施形態のフィルタベント装置３０の動作原理を説明する。
【００２４】
事故時に格納容器４へ放出された放射性物質は、隔離弁５．６を開くことで格納容器４に接続されるドライウェルベント配管７またはウェットウェルベント配管８へ流入する。この隔離弁５、６を開く前に、弁２０を開き、保管容器１８に収納された有機よう素除去剤３をフィルタベント容器１内に注入する。注入方法は水頭圧による注入であっても窒素圧をかけて注入する方法でも手段を問わない。
その後、放射性物質は入口配管９を経由してフィルタベント容器１内のスクラビング水２および有機よう素除去剤３に流入し、放射性物質のうち有機よう素は、有機よう素除去剤３によって除去される。
有機よう素が充分に除去されたガスは、出口配管１１を通り、排気筒１２によって外部に放出される。
【００２５】
よって、本実施形態のフィルタベント装置３０によれば、特許文献２に記載された技術のように有機よう素の除去系統が複雑化することなく、簡易的な設計で効率的に除去することができ、処理コストが高くなることを防ぐこともできる。また、大掛かりな装置を導入する必要がないため、現存するフィルタベント装置３０に適用する際にも、フィルタベント装置３０の静的システムを維持することができる等の利点を有する。
【００２６】
個々のプラント出力や事故シナリオにより異なるが、事故時に発生する放射性物質のう
ち、原子炉圧力容器が破損するような燃料破損が伴うシビアアクシデント時では、１ｋｇ程度の有機よう素が発生すると評価されており、有機よう素としては主によう化メチルが発生すると評価されている。
【００２７】
そこで、本実施形態では、有機よう素除去剤３として、カチオンとアニオンのみで構成された物質（有機剤）を用いる。
【００２８】
<有機よう素除去剤>
原子炉の事故時には、１００〜１６０℃程度の高温の蒸気のベントが想定されている。そのため、有機よう素除去剤３として用いられる有機剤は、１６０℃程度よりも低温で実質的に揮発しないものが好ましく、より好ましくは２００℃よりも低温で揮発しないものである。有機剤はフィルタベント運用時の温度において液体であればよいので、室温においては液体であっても固体であってもよい。
【００２９】
また、有機剤が不揮発性の液体であれば、ベント時に高温・高圧のガスが導入されたとしても、液体自体が揮散するのを避けることができる。
【００３０】
そこで、本実施形態では、不揮発性を有し、有機よう素を除去する性質を持つ有機剤として、カチオンとアニオンのみで構成された物質を用いる。カチオンとアニオンのイオンのみから構成される物質としては、例えばイオン液体、界面活性剤、４級塩、相関移動触媒と称されるものがある。なお、本実施形態で用いる有機剤は、イオン液体、界面活性剤、４級塩、相関移動触媒、これらの混合物質を用いることができる。
【００３１】
なお、本実施形態で用いる有機剤における、カチオンとアニオンは化学結合していない解離した２分子以上の構造であってもよく、また、カチオンとアニオンが化学結合によって解離していない１分子で構成された分子であってもよい。
【００３２】
有機よう素除去剤３として、このような構成の有機剤を使用することで有機よう素を９９％以上の効率で除去することができる。
【００３３】
これらの作用を示す有機剤は、カチオン（Ｘ+）とアニオン（Ｙ-）のみの組合せからなる有機剤（Ｘ+−Ｙ-）であり、上記に示したように「有機よう素の溶解」、「有機よう素の分解」、「有機よう素分解物の保持」の３段階により有機よう素の高い除去性能が成り立つ。
【００３４】
本実施形態の有機よう素除去剤３において、有機よう素の溶解は有機剤のカチオン（Ｘ+）に主に支配され、有機よう素の分解は有機剤のアニオン（Ｙ-）に主に支配さる。有機よう素分解物の保持は有機剤のカチオン（Ｘ+）に主に支配される。
【００３５】
有機よう素の分解においては下記式１に示すように有機剤（Ｘ+−Ｙ-）が放射性有機よう素（ＲＩ）を放射性よう素イオン（Ｉ-）に分解させることができる。よう素イオンは、有機よう素と比較して液相中でより安定であり、かつ有機剤のカチオンがよう素イオンを安定に保持する作用を示すため、放射性有機よう素を液相に保持して環境への漏洩を確実に防止することができる。
Ｘ+−Ｙ-  ＋  ＲＩ  →  Ｘ+−Ｉ-  ＋  Ｒ+−Ｙ-……（式１）
【００３６】
これらの有機剤によると、１６０℃以下で実質的に揮発しない不揮発性、１６０℃前後の高温に耐える耐熱性、高い耐放射線性、高い化学的安定性が得られる。
また、有機剤同士の相溶性の制御や、有機剤同士の比重の制御を、多種多様なイオンの組合せに基づいて容易に行うことができる。
【００３７】
<カチオン>
次に、有機剤を構成するカチオンの構造について説明する。カチオンの構造はリン元素、硫黄元素または窒素元素を中心に単結合で炭素または酸素と結合していればよい。すなわち、カチオンの構造がリン元素、硫黄元素または窒素元素に単結合で炭素または酸素が結合していればよい。
有機よう素の溶解性を高く維持するために、カチオンの炭素鎖は単結合で主に構成されることが好ましいが、カチオンの炭素鎖の一部が二重結合や三重結合で構成されていても構わない。また、酸素元素で架橋されていても構わない。
さらに、アニオンの構造としては、高い求核性を示すものが好ましい。
【００３８】
カチオンを構成する炭素鎖に結合している水素元素の一部または、全てがフッ素元素に置換されていても構わない。
【００３９】
有機剤を構成するカチオンとしては、例えば、ホスホニウム、スルホニウム、アンモニウム、ピロリジニウム、ピペジニウム、モルホリニウム等の有機カチオンが挙げられる。
【００４０】
アンモニウムの有機カチオンとしては、一般式ＮＲ4+で現せられる第４級アンモニウム塩などが存在する。式中のＲは、アルキル基等であり、炭素鎖は２以上で構成される。後述する実施例では、第４級ホスホニウム塩であるトリヘキシル（テトラデシル）ホスホニウムを用いて有機よう素の分解を行い、高い除去性を示している。
ホスホニウムの有機カチオンとしては、第４級ホスホニウム塩ＰＲ4+を用いることができる。式中のＲは、アルキル基等であり、炭素鎖は２以上で構成される。
スルホニウムの有機カチオンとしては、第３級スルホニウム塩ＳＲ3+を用いることができる。式中のＲは、アルキル基等であり、炭素鎖は２以上で構成される。
【００４１】
例えば、有機よう素である、よう化メチルは、１−ブチル−３−メチルイミダゾリウムビス（トリフルオロメチルスルホニル）アミドには溶解せず分離するが、同じアニオン構造でカチオン構造が異なるトリヘキシル（テトラデシル）ホスホニウムビス（トリフルオロメチルスルホニル）アミドには溶解し均一に混じり合う。
カチオンの炭素鎖数が１の物質であるメチル基等は１６０℃の高温下で分解し揮発するため、カチオンの炭素鎖数は２以上であることが好ましい。
【００４２】
例を挙げると、カチオンの炭素鎖が１つである、１−ブチル−３−メチルイミダゾリウムヨージドは１６０℃においてカチオンのメチル基が脱離し、自己分解を起こすことがわかっている。
【００４３】
このような観点で炭素鎖数が長く嵩高い有機カチオンであると、有機よう素の溶解性や耐熱性が高くなるため、有機よう素を高い除去効率で除去することができる。
【００４４】
<アニオン>
次に、有機剤を構成するアニオンの構造について説明する。アニオンの構造としては、例えば、炭素元素、硫黄元素、窒素元素、酸素元素、ハロゲン元素に電荷を帯びたものが挙げられる。
【００４５】
炭素元素にアニオン電荷を帯びた有機アニオンは、例えば、Ｈ3Ｃ-、Ｈ2ＲＣ-、ＨＲ2Ｃ-、Ｒ3Ｃ-、ＮＣ-、ＲＣＣ-等が挙げられる。
【００４６】
硫黄元素にアニオン電荷を帯びた有機アニオンは、例えば、ＲＳ-等が挙げられる。
【００４７】
窒素元素にアニオン電荷を帯びた有機アニオンは、例えばＮ3-、Ｈ2Ｎ-、ＨＲＮ-、Ｒ2Ｎ-等が挙げられる。
【００４８】
酸素元素にアニオン電荷を帯びた有機アニオンは、例えば、ＲＯ-、ＲＣＯ2-、ＲＰＯ3-、ＲＳＯ3-、ＲＰＯ4-、Ｒ2ＰＯ2-、Ｒ3ＣＯ-等が挙げられ、無機アニオンとしては、ＨＯ-、ＮＯ2-、ＮＯ3-、ＦＯ3-、ＣｌＯ3-、ＢｒＯ3-、ＩＯ3-、ＦＯ4-、ＣｌＯ4-、ＢｒＯ4-、ＩＯ4-等が挙げられる。
【００４９】
ハロゲン元素に電荷を帯びた無機アニオンは、例えば、Ｆ-、Ｃｌ-、Ｂｒ-、Ｉ-、Ｆ3-、Ｃｌ3-、Ｂｒ3-、Ｉ3-等が挙げられる。
【００５０】
式中のＲは炭素鎖であり、炭素鎖であれば特に限定されない。また、炭素鎖の一部に酸素結合を含んでもよく、炭素鎖に結合する水素元素の一部または全てがフッ素元素に置換されていてもよいものとする。
【００５１】
有機剤を構成するアニオンとしては、有機よう素を分解する作用が強い点で、求核性が高いイオンが好ましく、特に電荷を帯びた元素が末端に存在するものが好ましい。ただし、炭素鎖等に結合した末端に存在する水素元素は、電荷を帯びた末端に存在する好ましい元素には含まないものとする。
例えば、Ｈ2Ｎ-と比べてＲ2Ｎ-（Ｒ−Ｎ-−Ｒ）などの電荷を帯びた窒素元素を中心に水素元素以外で構成されたアニオン分子は求核性が低くなり、よう化メチルに対する分解性能が低下することとなる。
【００５２】
有機よう素を高い性能で除去するためには、有機剤のカチオンによる有機よう素の溶解だけでなく、アニオンの有機よう素への求核攻撃により生じる有機よう素の分解が必要である。
【００５３】
したがって、アニオンの構造は求核性が高い点、加水分解を生じ難い点、フィルタベント容器１に注入された場合にスクラビング水２のｐＨを変化させ難い点から、Ｈ3Ｃ-、Ｈ2ＲＣ-、ＨＲ2Ｃ-、Ｒ3Ｃ-、ＮＣ-、ＲＣＣ-、ＲＳ-、Ｎ3-、Ｈ2Ｎ-、ＨＲＮ-、Ｒ2Ｎ-、ＲＯ-、ＲＣＯ2-、ＲＰＯ3-、ＲＳＯ3-、ＲＰＯ4-、Ｒ2ＰＯ2-、Ｒ3ＣＯ-、ＨＯ-、ＮＯ2-、ＮＯ3-、ＦＯ3-、ＣｌＯ3-、ＢｒＯ3-、ＩＯ3-、ＦＯ4-、ＣｌＯ4-、ＢｒＯ4-、ＩＯ4-、Ｆ-、Ｃｌ-、Ｂｒ-、Ｉ-、Ｆ3-、Ｃｌ3-、Ｂｒ3-、Ｉ3-が好ましい。
【００５４】
＜実施例＞
以下に、本実施形態のよう素分解の実施例を説明する。
図２は有機よう素除去剤３による、よう化メチル除去効率および有機剤の化学構造の具体例である。
カチオン構造をトリヘキシル（テトラデシル）ホスホニウムに統一し、求核性の異なるアニオン構造の有機剤について有機よう素であるよう化メチルの除去性能を示した。
Ａの有機剤はトリヘキシル（テトラデシル）ホスホニウムビス（トリフルオロメチルスルホニル）アミドである。
Ｂの有機剤はトリヘキシル（テトラデシル）ホスホニウムジシアナミドである。
Ｃの有機剤はトリヘキシル（テトラデシル）ホスホニウムデカノエートである。
Ｄの有機剤はトリヘキシル（テトラデシル）ホスホニウムヨージドである。
Ｅの有機剤はトリヘキシル（テトラデシル）ホスホニウムブロミドである。
Ｆの有機剤はトリヘキシル（テトラデシル）ホスホニウムクロリドである。
【００５５】
試験条件はフィルタベントの実機条件に近い、よう化メチル濃度が５０ｐｐｍ、温度が１６０℃、滞留時間が０．５secである。
【００５６】
図２のＡのアニオン構造がビス（トリフルオロメチルスルホニル）アミドイオンでは、よう化メチルの除去効率が１％以下であり、図２のＢのジシアナミドイオンでは、よう化メチルの除去効率は５０％、図２のＣ〜Ｆのアセタトイオンやハロゲン化物イオンでは、よう化メチルの除去効率は９９％以上である。
【００５７】
よう化メチルの分解はアニオンによる求核性に支配され、具体的にはアニオン電荷を帯びる元素の塩基性やアニオン電荷を帯びる元素周辺の立体構造に支配される。図２におけるＡおよびＢがＣ〜Ｆと比べて求核性が低くなる要因としては、電荷を帯びたＡ、Ｂのアニオンの窒素元素の両端に嵩高い置換基が結合しており、立体障害が大きく、よう化メチルとの反応を阻害しているためである。
【００５８】
したがって、嵩高い置換基が結合しているアニオンは求核性が下がりよう化メチルの分解には適さない。嵩高いアニオンが結合したアニオンとしては例えば、ＰＦ6-、ＢＦ4-、ＦｅＣｌ4-、ＡｌＣｌ4-、Ａｌ2Ｃｌ7-などは電荷を帯びた元素（リン元素、ホウ素元素、鉄元素、アルミニウム元素）に置換基（フッ素元素、塩素元素）が結合しており、立体障害が大きいためよう化メチルの除去性能は期待できない。
【００５９】
よう化メチルへの求核性能の高低はあるが、図２のＡ〜Ｆ全ての有機剤においてよう化メチルの分解が起きる。
例えば、Ａ〜Ｆの有機剤をそれぞれよう化メチルと１００℃下で混合攪拌し、その混合溶液を含水したエタノールで希釈することで下記式２のようにメタノールが生成する。
ＣＨ3Ｉ  ＋  Ｈ2Ｏ  →  ＣＨ3ＯＨ  ＋  Ｉ- ＋  Ｈ+……（式２）
したがって有機剤によるよう化メチルの分解は下記式３のように起こっている。
ＣＨ3Ｉ  →  ＣＨ3+＋  Ｉ-……（式３）
図２のＡ〜Ｄにおいて有機剤がカチオンとの相互作用により、よう素イオン（Ｉ-）を安定に保持することから、よう素イオンがよう化水素（ＨＩ）として揮発することはほとんどない。
【００６０】
また、フィルタベント装置３０に有機よう素除去剤３を運用する際はフィルタベント容器１内のスクラビング水２がアルカリ水であるためよう素イオン（Ｉ-）は安定に保持される。
【００６１】
よう化メチルの溶解が十分に起こらないカチオンと求核性の高いアニオンを持つ有機剤である１−ブチル−３−メチルイミダゾリウムヨージドではよう化メチルの除去性能がほとんどない。
したがって、アニオンの求核性が高くてもよう化メチルと溶解しないカチオンであればよう化メチルの除去性能は期待できない。
当然、よう化メチルの溶解が十分に起こらないカチオンと求核性の低いアニオンを持つ有機剤である、１−ブチル−３−メチルイミダゾリウムビス（トリフルオロメチルスルホニル）アミドではよう化メチルの除去性能がない。
【００６２】
また、有機剤はカチオンとアニオンのみからなる構成である必要があり、よう化メチルに対する溶解性が高くても中性分子であるとよう化メチルは除去できない。
よう化メチルに対する溶解性が高い中性分子として例えば、トリオクチルアミン（Ｎ(Ｃ8Ｈ17)3）が挙げられるが、このような中性分子はよう化メチルの除去性能がない。
【００６３】
図３に有機剤の除染係数の経時変化を示す。
縦軸の除染係数（ＤＦ：Decontamination Factor）は下記式４で与えられる。
Ｃ0は有機剤入口のよう化メチル濃度、Ｃexは有機剤出口のよう化メチル濃度である。
よう化メチルの除去性能が高いほどＤＦが高い数値を示す。
ＤＦ  ＝  Ｃ0／Ｃex……（式４）
【００６４】
試験条件は図２と同じく、よう化メチル濃度が５０ｐｐｍ、温度が１６０℃、滞留時間が０．５secで行った。
図３は、図２のＦの有機剤である、トリヘキシル（テトラデシル）ホスホニウムクロリドを用いてよう化メチルを除去した際の結果である。
【００６５】
試験開始初期から経過時間２４０分に渡って安定してＤＦが１００以上であり除去効率に換算すると９９％以上の性能となる。
図２のＣ〜Ｅのアニオン構造を用いた同様の試験においても図２のＦと同等以上のよう化メチル除去性能が確認されている。
経過時間２４０分までに除去したよう化メチル量から有機剤の吸着量を換算すると８．７ｍｇ−Ｉ／ｇ−有機剤となる。
【００６６】
個々のプラント出力や事故シナリオにより異なるが、事故時に発生する放射性物質のう
ち、原子炉圧力容器が破損するような燃料破損が伴うシビアアクシデント時では、１ｋｇ程度のよう化メチルが発生すると評価されており、この１ｋｇのよう化メチルを除去するのに必要な有機剤量は１２０ｋｇとなる。
【００６７】
また、有機剤は、イオン液体、界面活性剤、４級塩、相関移動触媒のうち少なくともいずれか１種を含む。有機剤のうち、イオン液体は一般産業向けに実用化されている。イオン液体の特徴は不揮発性であり、事故時にフィルタベント装置３０に流入するとされるガス温度である約２００℃という条件でも十分な耐熱性を持つ。また、イオン液体は耐放射性にも優れ、かつ放射性物質などの基質をイオン液体中に高い濃度で溶解（除去）する性質を持つ。特に有機よう素は水に難溶で高揮発性の物質であるため、これを除去するための有力な有機剤としてイオン液体を使用することにより、除去効率の更なる効率化を図ることができる。
【００６８】
本実施形態で、有機よう素除去剤３として用いる有機剤はイオン液体を例に説明してきたが、本実施形態はこれに限定されず、例えば、界面活性剤、４級塩、相関移動触媒も好適に適用することができ、イオン液体と同様の効果が得られる。
【００６９】
また、有機剤は２００℃以上でも液相である液体であることで、事故時においても、有機剤を安定して液相で存在させて、有機よう素を十分に除去させることができる。
前記の各除去装置や除去方法において、原子炉の形式は、特に制限されるものではない。原子炉としては、沸騰水型原子炉（Boiling Water Reactor：ＢＷＲ）、改良型沸騰水型原子炉（Advanced Boiling Water Reactor：ＡＢＷＲ）、加圧水型原子炉（Pressurized Water Reactor：ＰＷＲ）等の各種の形式に適用することができる。有機剤として用い得るイオン液体等は、一般産業向けに実用化されている。放射性物質で汚染されたイオン液体等は、例えば、特表２００３−５０７１８５号公報に記載された方法等で処理・再生することができる。
【符号の説明】
【００７０】
１            フィルタベント容器
２              スクラビング水
３              有機よう素除去剤
４            格納容器
４Ａ            原子炉圧力容器
５，６          離隔弁
７              ドライウェルベント配管
８              ウェットウェルベント配管
９              入口配管
１０            金属フィルタ
１１            出口配管
１２            排気筒
１８            保管容器
１９            注入配管
２０            弁
３０          フィルタベント装置
３１            ドライウェル
３２            ウェットウェル
【図１】
2020134462.tif 000003
【図２】
2020134462.tif 000004
【図３】
2020134462.tif 000005